(57)【要約】【課題】  イメージログに含まれる禁止画像等の不正な使用を防ぐことができるイメージログ管理装置を提供する。【解決手段】  画像処理ジョブの実行結果を示す画像データをイメージログとして管理するイメージログ管理装置は、画像処理ジョブに係る画像データに、所定の参照画像が含まれることを検知する検知処理部１２４Ａと、参照画像が検知される場合、画像データにより表される画像のうち、全体の画像又は一部の画像をイメージログとして記憶させないように制限する画像加工部１２３Ａとを備える。【選択図】  図４
2020082704.tif 000002
【特許請求の範囲】
【請求項１】
画像処理装置における画像処理ジョブの実行結果を示す画像データをイメージログとして管理するイメージログ管理装置であって、
前記画像処理ジョブに係る画像データに、所定の参照画像が含まれるか否かを検知する検知手段と、
前記参照画像が検知される場合、前記画像データにより表される画像のうち、全体の画像又は一部の画像をイメージログとして記憶させないように制限する記憶制限手段と
を備えることを特徴とするイメージログ管理装置。
【請求項２】
さらに、前記画像データにより表される画像のうち、全体の画像、一部の画像又はこれらの画像に加工を施した加工画像を含む前記イメージログを生成するログ生成手段を備え、
前記記憶制限手段は、前記参照画像が検知される場合、前記ログ生成手段により生成された前記イメージログにおいて、前記全体の画像、前記一部の画像又は前記加工画像を削除し、又は、前記全体の画像、前記一部の画像又は前記加工画像に、単一色の複数の画素が密集して配された高密度画像を上書きする
ことを特徴とする請求項１に記載のイメージログ管理装置。
【請求項３】
さらに、前記画像データにより表される画像のうち、全体の画像、一部の画像又はこれらの画像に加工を施した加工画像を含む前記イメージログを生成するログ生成手段を備え、
前記記憶制限手段は、前記参照画像が検知される場合、生成された前記イメージログを破棄する
ことを特徴とする請求項１に記載のイメージログ管理装置。
【請求項４】
さらに、前記参照画像が検知される場合、前記画像データにより表される画像のうち、一部の画像又はこの画像に加工を施した加工画像を除去し、残余の画像を含む前記イメージログを生成し、又は、前記画像データにより表される画像のうち、全体の画像、一部の画像又はこれらの画像に加工を施した加工画像に単一色の複数の画素が密集して配された高密度画像を上書きした画像を含む前記イメージログを生成するログ生成手段を備える
ことを特徴とする請求項１に記載のイメージログ管理装置。
【請求項５】
さらに、前記参照画像が検知される場合、前記イメージログの生成を制限し、前記参照画像が検知されない場合、前記画像データにより表される画像のうち、全体の画像、一部の画像又はこれらの画像に加工を施した加工画像を含む前記イメージログを生成するログ生成手段を備える
ことを特徴とする請求項１に記載のイメージログ管理装置。
【請求項６】
前記高密度画像は、単一色の複数の画素のみからなるベタ画像である
ことを特徴とする請求項２又は４に記載のイメージログ管理装置。
【請求項７】
前記記憶制限手段は、さらに、前記高密度画像を上書きする場合、前記制限をした旨を表す表示情報を前記イメージログに付加する
ことを特徴とする請求項２又は４に記載のイメージログ管理装置。
【請求項８】
前記記憶制限手段は、さらに、前記高密度画像が上書きされた画像の上に、前記表示情報を、文字画像により、描画する
ことを特徴とする請求項７に記載のイメージログ管理装置。
【請求項９】
さらに、前記画像データにより表される画像のうち、全体の画像又は一部の画像を縮小した画像を含む前記イメージログを生成するログ生成手段を備え、
前記記憶制限手段は、前記参照画像が検知される場合、前記画像データにより表される画像に相当する原寸大の画像に対する、前記イメージログに含まれ縮小された前記画像の縮小率が閾値以下であるとき、前記イメージログをそのまま維持し、前記縮小率が閾値を超えるとき、前記イメージログ内において、前記縮小率が閾値以下となるように、縮小した前記画像をさらに縮小する
ことを特徴とする請求項１に記載のイメージログ管理装置。
【請求項１０】
さらに、前記参照画像が検知される場合、前記画像データにより表される画像のうち、全体の画像又は一部の画像を、閾値以下の縮小率により、縮小し、縮小された画像を含む前記イメージログを生成するログ生成手段を備える
ことを特徴とする請求項１に記載のイメージログ管理装置。
【請求項１１】
さらに、前記画像データにより表される画像から、文字が表された文字画像と、図形が表された図形画像とを分離する画像加工手段を備え、
前記記憶制限手段は、前記参照画像が検知される場合、前記イメージログ内に、前記画像データにより表される画像のうち、抽出された前記図形画像又は前記図形画像に加工を施した加工画像を包含させることを制限する
ことを特徴とする請求項１に記載のイメージログ管理装置。
【請求項１２】
前記参照画像は、複製が禁止された証票の表面に表された画像の少なくとも一部の禁止画像又は印刷物の表面に表され、当該印刷物の複製の禁止を示す禁止標章である
ことを特徴とする請求項１に記載のイメージログ管理装置。
【請求項１３】
前記参照画像は、所定の特徴を有する特徴パターンを含む
ことを特徴とする請求項１に記載のイメージログ管理装置。
【請求項１４】
前記画像処理装置は、原稿面の画像を読み取る画像読取装置であり、
前記画像データは、前記画像読取装置により、前記原稿面の画像を読み取ることにより、生成される
ことを特徴とする請求項１に記載のイメージログ管理装置。
【請求項１５】
前記画像処理装置は、シート上に画像を形成し、シート上に形成された画像を読み取る画像形成装置であり、
前記画像データは、シート上に形成された画像を読み取ることにより、生成される
ことを特徴とする請求項１に記載のイメージログ管理装置。
【請求項１６】
前記画像処理装置は、画像データを基にして画像形成する画像形成装置であり、
前記画像データは、前記画像形成装置に接続された外部の装置から、受信される
ことを特徴とする請求項１に記載のイメージログ管理装置。
【請求項１７】
画像データにおいて、所定の参照画像が含まれているか否かを検査する検査装置であって、
請求項１に記載のイメージログ管理装置を備える
ことを特徴とする検査装置。
【請求項１８】
画像形成を行う画像形成装置であって、
請求項１に記載のイメージログ管理装置を備える
ことを特徴とする画像形成装置。
【請求項１９】
原稿面を読み取り、画像データを生成する画像読取装置であって、
請求項１に記載のイメージログ管理装置を備える
ことを特徴とする画像読取装置。
【請求項２０】
画像形成システムであって、
画像形成を行う画像形成装置と、
画像データにおいて、所定の参照画像が含まれているか否かを検査する検査装置とから構成され、
前記検査装置は、
請求項１に記載のイメージログ管理装置を備える
ことを特徴とする画像形成システム。
【請求項２１】
画像処理装置における画像処理ジョブの実行結果を示す画像データをイメージログとして管理するイメージログ管理装置において用いられる制御方法であって、
前記画像処理ジョブに係る画像データに、所定の参照画像が含まれるか否かを検知する検知ステップと、
前記参照画像が検知される場合、前記画像データにより表される画像のうち、全体の画像又は一部の画像をイメージログとして記憶させないように制限する記憶制限ステップと
を含むことを特徴とする制御方法。
【請求項２２】
画像処理装置における画像処理ジョブの実行結果を示す画像データをイメージログとして管理するイメージログ管理装置において用いられる制御用のコンピュータープログラムであって、
コンピューターである前記イメージログ管理装置に、
前記画像処理ジョブに係る画像データに、所定の参照画像が含まれるか否かを検知する検知ステップと、
前記参照画像が検知される場合、前記画像データにより表される画像のうち、全体の画像又は一部の画像をイメージログとして記憶させないように制限する記憶制限する記憶制限ステップと
を実行させるためのコンピュータープログラム。
【発明の詳細な説明】
【技術分野】
【０００１】
本発明は、画像処理装置により実行されるコピー、スキャン、プリント等のジョブの実行結果の記録（ログ）を管理する技術に関する。
【背景技術】
【０００２】
従来、プリンター、複写機などの電子写真方式の画像形成装置は、紙幣等の偽造防止機能を備えている。
【０００３】
特許文献１によると、画像形成装置は、一旦、シート上に画像を形成した後、シート上に形成された画像を読み取り、読み取った画像と、予め設定された紙幣等の禁止画像とを比較して、画像が形成されたシートの出力を許可するか否かを判定する。出力を許可しないと判定する場合、画像形成装置からシートを取り出せないようにするロック機構、又は、シートを裁断するシュレッダー機能を備えている。このようにして、禁止画像が形成された印刷物が画像形成装置の外部に出力されないようにしている。
【０００４】
しかし、シート上に形成された画像が、禁止画像の倍率を変えて生成された画像である場合、シートから読み取った画像と、予め設定された禁止画像とを比較しても、類似度が少ないと判定され、紙幣等が偽造される可能性がある。
【０００５】
このような問題に対処するため、特許文献２によると、画像処理装置は、紙幣等の特殊原稿の画像のパターンデータを複数種類あらかじめ登録しており、入力された画像が拡大又は縮小されている場合、等倍に戻すための逆変倍処理を行ない、等倍に戻された画像と登録された各特殊原稿のパターンデータとを比較し、この画像が特殊原稿の画像か否かを判別する。特殊原稿の画像であると判別された場合、出力する画像に色を付加しない等の偽造防止処理を施す。
【０００６】
また、特許文献３によると、画像形成装置で印刷が実行されると、その印刷ジョブの実行記録であるジョブログが画像形成装置に蓄積される。ジョブログは、例えば、ジョブＩＤ、ジョブの種類、ジョブ受付時刻、ジョブ終了時刻、ジョブステータス等からなる。ジョブログは、ジョブで扱われた画像からイメージログとして生成される場合もある。このようにして生成したジョブログを蓄積することにより、ジョブを管理することができる。
【先行技術文献】
【特許文献】
【０００７】
【特許文献１】特開２０１４−１１３７７５号公報
【特許文献２】特開２０００−２３２５７８号公報
【特許文献３】特開２００７−１６０６７４号公報
【発明の概要】
【発明が解決しようとする課題】
【０００８】
上記の通り、特許文献１及び２によると、紙幣等の禁止画像が形成された印刷物が画像形成装置から外部に出力されないようにしたり、出力する画像に色を付加しない等の偽造防止処理を施したりして、禁止画像が形成された印刷物が本物として使用されることを防止している。
【０００９】
しかし、特許文献３に示すように、原稿の画像からイメージログが生成され、イメージログに禁止画像が含まれている場合、イメージログが画像形成装置の外部に漏洩すると、イメージログに含まれる禁止画像が不正に使用される可能性がある。
【００１０】
この問題を解決するため、本発明は、イメージログに含まれる禁止画像の不正な使用を防ぐことができるイメージログ管理装置、検査装置、画像形成装置、画像読取装置、画像形成システム、制御方法及びコンピュータープログラムを提供することを目的とする。
【課題を解決するための手段】
【００１１】
上記目的を達成するために、本発明は、画像処理装置における画像処理ジョブの実行結果を示す画像データをイメージログとして管理するイメージログ管理装置であって、前記画像処理ジョブに係る画像データに、所定の参照画像が含まれるか否かを検知する検知手段と、前記参照画像が検知される場合、前記画像データにより表される画像のうち、全体の画像又は一部の画像をイメージログとして記憶させないように制限する記憶制限手段とを備えることを特徴とする。
【００１２】
ここで、さらに、前記画像データにより表される画像のうち、全体の画像、一部の画像又はこれらの画像に加工を施した加工画像を含む前記イメージログを生成するログ生成手段を備え、前記記憶制限手段は、前記参照画像が検知される場合、前記ログ生成手段により生成された前記イメージログにおいて、前記全体の画像、前記一部の画像又は前記加工画像を削除し、又は、前記全体の画像、前記一部の画像又は前記加工画像に、単一色の複数の画素が密集して配された高密度画像を上書きしてもよい。
【００１３】
ここで、さらに、前記画像データにより表される画像のうち、全体の画像、一部の画像又はこれらの画像に加工を施した加工画像を含む前記イメージログを生成するログ生成手段を備え、前記記憶制限手段は、前記参照画像が検知される場合、生成された前記イメージログを破棄してもよい。
【００１４】
ここで、さらに、前記参照画像が検知される場合、前記画像データにより表される画像のうち、一部の画像又はこの画像に加工を施した加工画像を除去し、残余の画像を含む前記イメージログを生成し、又は、前記画像データにより表される画像のうち、全体の画像、一部の画像又はこれらの画像に加工を施した加工画像に単一色の複数の画素が密集して配された高密度画像を上書きした画像を含む前記イメージログを生成するログ生成手段を備える、としてもよい。
【００１５】
ここで、さらに、前記参照画像が検知される場合、前記イメージログの生成を制限し、前記参照画像が検知されない場合、前記画像データにより表される画像のうち、全体の画像、一部の画像又はこれらの画像に加工を施した加工画像を含む前記イメージログを生成するログ生成手段を備える、としてもよい。
【００１６】
ここで、前記高密度画像は、単一色の複数の画素のみからなるベタ画像である、としてもよい。
【００１７】
ここで、前記記憶制限手段は、さらに、前記高密度画像を上書きする場合、前記制限をした旨を表す表示情報を前記イメージログに付加してもよい。
【００１８】
ここで、前記記憶制限手段は、さらに、前記高密度画像が上書きされた画像の上に、前記表示情報を、文字画像により、描画してもよい。
【００１９】
ここで、さらに、前記画像データにより表される画像のうち、全体の画像又は一部の画像を縮小した画像を含む前記イメージログを生成するログ生成手段を備え、前記記憶制限手段は、前記参照画像が検知される場合、前記画像データにより表される画像に相当する原寸大の画像に対する、前記イメージログに含まれ縮小された前記画像の縮小率が閾値以下であるとき、前記イメージログをそのまま維持し、前記縮小率が閾値を超えるとき、前記イメージログ内において、前記縮小率が閾値以下となるように、縮小した前記画像をさらに縮小してもよい。
【００２０】
ここで、さらに、前記参照画像が検知される場合、前記画像データにより表される画像のうち、全体の画像又は一部の画像を、閾値以下の縮小率により、縮小し、縮小された画像を含む前記イメージログを生成するログ生成手段を備える、としてもよい。
【００２１】
ここで、さらに、前記画像データにより表される画像から、文字が表された文字画像と、図形が表された図形画像とを分離する画像加工手段を備え、前記記憶制限手段は、前記参照画像が検知される場合、前記イメージログ内に、前記画像データにより表される画像のうち、抽出された前記図形画像又は前記図形画像に加工を施した加工画像を包含させることを制限してもよい。
【００２２】
ここで、前記参照画像は、複製が禁止された証票の表面に表された画像の少なくとも一部の禁止画像又は印刷物の表面に表され、当該印刷物の複製の禁止を示す禁止標章である、としてもよい。
【００２３】
ここで、前記参照画像は、所定の特徴を有する特徴パターンを含む、としてもよい。
【００２４】
ここで、前記画像処理装置は、原稿面の画像を読み取る画像読取装置であり、前記画像データは、前記画像読取装置により、前記原稿面の画像を読み取ることにより、生成される、としてもよい。
【００２５】
ここで、前記画像処理装置は、シート上に画像を形成し、シート上に形成された画像を読み取る画像形成装置であり、前記画像データは、シート上に形成された画像を読み取ることにより、生成される、としてもよい。
【００２６】
ここで、前記画像処理装置は、画像データを基にして画像形成する画像形成装置であり、前記画像データは、前記画像形成装置に接続された外部の装置から、受信される、としてもよい。
【００２７】
また、本発明は、画像データにおいて、所定の参照画像が含まれているか否かを検査する検査装置であって、上記のイメージログ管理装置を備えることを特徴とする。
【００２８】
また、本発明は、画像形成を行う画像形成装置であって、上記のイメージログ管理装置を備えることを特徴とする。
【００２９】
また、本発明は、原稿面を読み取り、画像データを生成する画像読取装置であって、上記のイメージログ管理装置を備えることを特徴とする。
【００３０】
また、本発明は、画像形成システムであって、画像形成を行う画像形成装置と、画像データにおいて、所定の参照画像が含まれているか否かを検査する検査装置とから構成され、前記検査装置は、上記のイメージログ管理装置を備えることを特徴とする。
【００３１】
また、本発明は、画像処理装置における画像処理ジョブの実行結果を示す画像データをイメージログとして管理するイメージログ管理装置において用いられる制御方法であって、前記画像処理ジョブに係る画像データに、所定の参照画像が含まれるか否かを検知する検知ステップと、前記参照画像が検知される場合、前記画像データにより表される画像のうち、全体の画像又は一部の画像をイメージログとして記憶させないように制限する記憶制限ステップとを含むことを特徴とする。
【００３２】
また、本発明は、画像処理装置における画像処理ジョブの実行結果を示す画像データをイメージログとして管理するイメージログ管理装置において用いられる制御用のコンピュータープログラムであって、コンピューターである前記イメージログ管理装置に、前記画像処理ジョブに係る画像データに、所定の参照画像が含まれるか否かを検知する検知ステップと、前記参照画像が検知される場合、前記画像データにより表される画像のうち、全体の画像又は一部の画像をイメージログとして記憶させないように制限する記憶制限する記憶制限ステップとを実行させるためのコンピュータープログラムであることを特徴とする。
【発明の効果】
【００３３】
上記の構成によると、禁止画像等に相当する画像がイメージログに包含されないようにするので、イメージログに含まれる禁止画像等の不正な使用を防ぐことができる、という優れた効果を奏する。
【図面の簡単な説明】
【００３４】
【図１】実施の形態１のイメージログ管理システム６の構成を示す。
【図２】画像形成システム４の概略構成を示す図である。
【図３】主制御部１００の構成及び主制御部１００に接続する装置を示すブロック図である。
【図４】画像形成システム４におけるコピージョブの実行及びログ情報の生成の流れを示すブロック図である。
【図５】サーバー装置２の構成を示すブロック図である。
【図６】印刷イメージデータ１３１、印刷物１３２ａ及び印刷イメージログ１３３ａの一例を示す。
【図７】イメージログ管理システム６における動作を示すフローチャートである。
【図８】実施の形態１の変形例（１）における、印刷イメージデータ１３１、印刷物１３２ｂ及び印刷イメージログ１３３ｂの一例を示す。
【図９】変形例（１）における動作を示すフローチャートである。
【図１０】実施の形態１の変形例（２）における、印刷イメージデータ１３１、印刷物１３２ｃ及び印刷イメージログ１３３ｃの一例を示す。
【図１１】変形例（２）における動作を示すフローチャートである。
【図１２】実施の形態１の変形例（３）における、印刷イメージデータ１３１、印刷物１３２ｄ及び印刷イメージログ１３３ｄ、１３６ｄの一例を示す。
【図１３】変形例（３）における動作を示すフローチャートである。
【図１４】実施の形態２のイメージログ管理システム６ｅにおける、画像形成システム４ｅの概略構成を示す図である。
【図１５】画像形成システム４ｅの主制御部１００の構成及び主制御部１００に接続する装置、並びに、主制御部２４の構成を示すブロック図である。
【図１６】画像形成システム４ｅにおけるコピージョブの実行及びログ情報の生成の流れを示すブロック図である。
【図１７】イメージログ管理システム６ｅにおける動作を示すフローチャートである。
【発明を実施するための形態】
【００３５】
１  実施の形態１
本発明に係る一の実施の形態としてのイメージログ管理システム６について図面を参照しながら説明する。
【００３６】
イメージログ管理システム６は、図１に示すように、画像形成システム４及びサーバー装置２から構成され、画像形成システム４とサーバー装置２とは、通信ネットワーク３を介して接続されている。
【００３７】
画像形成システム４は、画像処理ジョブとして、原稿面を読み取って画像データを生成し、電子写真方式により記録シート上に、生成した画像データにより表された画像を形成するコピージョブ（画像読取及び画像形成ジョブ）、原稿面を読み取って、画像データを生成するスキャンジョブ（画像読取ジョブ）、又は、ＰＣ（パーソナルコンピューター）等の外部端末装置から画像データ等を受け取り、電子写真方式により記録シート上に画像を形成するプリントジョブ（受信及び画像形成ジョブ）等を実行する。また、画像形成システム４は、各ジョブの実行結果を示す画像データをイメージログとして管理するイメージログ管理装置７（図４）を備える。ログ情報は、各ジョブで扱われた画像から生成されたイメージログを含む。また、ログ情報は、ジョブを識別するジョブＩＤ、ジョブの種類、ジョブの受付時刻、ジョブの終了時刻、ジョブのステータス等の情報を含む。画像形成システム４は、生成したログ情報を、通信ネットワーク３を介して、サーバー装置２に対して送信する。サーバー装置２は、画像形成システム４からログ情報を受信し、受信したログ情報を内部に蓄積する。
【００３８】
サーバー装置２に蓄積されているログ情報は、画像形成システム４において実行されるコピージョブ、スキャンジョブ又はプリントジョブ等の管理のために用いられる。
【００３９】
１．１  画像形成システム４
図２に示すように、画像形成システム４は、電子写真方式により記録シート上に画像を形成する画像形成装置１（画像処理装置）と、オプション装置として、画像形成装置１から出力される画像形成済みの記録シートの束に対して、ステープル綴じなどの後処理を施すフィニッシャー装置１５とから構成されている。
【００４０】
（１）  画像形成装置１
画像形成装置１は、スキャナー、プリンター、コピー機、ファクシミリ、ドキュメントサーバー等の機能を有するタンデム型のカラー複合機（ＭＦＰ：MultiFunction Peripheral）である。
【００４１】
画像形成装置１においては、図２に示すように、筐体底部に、記録シートを収容し、給送する給紙装置１８が設けられている。給紙装置１８の上方には、電子写真方式により画像を形成するプリンター装置１４が設けられている。プリンター装置１４のさらに上方に、搬送ユニット１９が設けられ、搬送ユニット１９の上方に、操作画面を表示するディスプレィ装置１２、利用者から入力操作を受け付ける操作装置１１が設けられている。また、搬送ユニット１９の上方に、原稿を読み取って画像データを生成するスキャナー装置１３（画像読取手段）が設けられ、スキャナー装置１３の上方にドキュメントフィーダー１７が設けられている。
【００４２】
ドキュメントフィーダー１７は、原稿トレイにセットされた原稿を１枚ずつ原稿ガラス板へ搬送する。スキャナー装置１３は、ドキュメントフィーダー１７によって原稿ガラス板の所定位置に搬送された原稿の画像をスキャナーの移動によって読み取り、レッド（Ｒ）、グリーン（Ｇ）、ブルー（Ｂ）の多値デジタル信号からなる画像データを得る。
【００４３】
スキャナー装置１３で得られた各色成分の画像データは、後述する主制御部１００において各種のデータ処理を受け、更にイエロー（Ｙ）、マゼンタ（Ｍ）、シアン（Ｃ）、ブラック（Ｋ）の各再現色の画像データに変換される。
【００４４】
プリンター装置１４は、中間転写ベルト、中間転写ベルトを張架する駆動ローラー、従動ローラー、バックアップローラー、中間転写ベルトに対向して中間転写ベルトの走行方向Ｘに沿って所定間隔で配置された再現色毎の作像部、定着部、主制御部１００等からなる。
【００４５】
各作像部は、像担持体である感光体ドラム、感光体ドラム表面を露光走査するためのＬＥＤアレイ、帯電チャージャー、現像器、クリーナー及び１次転写ローラーなどからなる。
【００４６】
給紙装置１８は、サイズの異なる記録シートを収容する複数の給紙カセットと、この記録シートを各給紙カセットから搬送路に繰り出すための複数のピックアップローラーとから構成されている。
【００４７】
各作像部において、各感光体ドラムは、帯電チャージャーにより一様に帯電され、ＬＥＤアレイにより露光を受け、感光体ドラムの表面に静電潜像が形成される。各静電潜像は、それぞれ各色の現像器により現像され、各感光体ドラムの表面に各色（Ｙ〜Ｋ色）のトナー像が形成され、トナー像は、中間転写ベルトの裏面側に配設された各１次転写ローラーの静電作用により、中間転写ベルトの表面上に順次転写される。
【００４８】
一方、給紙装置１８のいずれかの給紙カセットから、各作像部による作像動作に合わせて、記録シートが給送され、２次転写ローラーとバックアップローラーとが中間転写ベルトを挟んで対向する位置（２次転写位置）へと搬送路上を搬送され、２次転写位置で、２次転写ローラーの静電的作用により、中間転写ベルト上のＹ〜Ｋ色のトナー像が記録シートへ２次転写される。Ｙ〜Ｋ色のトナー像が２次転写された記録シートは、さらに定着部まで搬送される。
【００４９】
記録シートの表面のトナー像は、定着部の加熱ローラーとこれに圧接された加圧ローラーとの間に形成される定着ニップを通過する際に、加熱及び加圧により、記録シートの表面に融着して定着され、記録シートは、定着部を通過した後、搬送ユニット１９へと送出される。
【００５０】
搬送ユニット１９では、水平方向に搬送路が設けられている。また、搬送路に沿って、追加工部１２６Ａが設けられている。追加工部１２６Ａは、後述する禁止画像又は禁止標章が検知された場合、搬送路に沿って搬送される当該記録シートの表面に、禁止画像又は禁止標章が検知されたことを示す検知印を押す。画像形成済みの記録シートは、当該搬送路に沿って列設された複数の搬送ローラー対によって、フィニッシャー装置１５へ出力される。
【００５１】
ディスプレィ装置１２は、液晶表示板などで構成される表示部及びタッチパネル部から構成される。表示部は、利用者に対して、メッセージを表示し又は指示を与えるための画面、利用者の設定内容及び処理内容を入力するための画面、画像形成装置１で形成された画像及びその処理結果を示す画面などを表示する。また、タッチパネル部は、利用者が指で触れた位置を検知し、検知した位置を示す信号を主制御部１００に対して、送信する。
【００５２】
操作装置１１は、数字、文字、記号等を入力するための複数のキー、押下されるキーを認識するセンサー及び認識したキーを示す信号を主制御部１００に対して送信する送信用回路等から構成される。操作装置１１は、利用者からの、コピー開始の指示、コピー枚数の設定、複写条件の設定、オプション装置としてのフィニッシャー装置１５におけるステープル綴じなどの後処理の設定（ステープルのＯＦＦ又はＯＮの設定）等を受け付け、受け付けた内容を主制御部１００に通知する。
【００５３】
このように、操作装置１１及びディスプレィ装置１２は、利用者が画像形成装置１を直接操作するためのユーザーインターフェースの役割を果たしている。なお、通信ネットワーク３に接続されたＰＣには、画像形成装置１に対して指令を与えるためのアプリケーションプログラム及びドライバプログラムがインストールされている、としてもよい。従って、利用者は、ＰＣを使用して画像形成装置１を遠隔的に操作することもできる。
【００５４】
画像形成装置１は、登録された利用者の情報に基づいた認証を行わなければ、使用できないように設定することもできる。
【００５５】
（２）フィニッシャー装置１５
フィニッシャー装置１５は、後処理として、複数枚の記録シートの束（シート束）を整合する整合処理機能及びシート束にステープル綴じを行うステープル綴じ処理機能を有し、画像形成装置１からの指示に基づき各処理機能を実行する。
【００５６】
フィニッシャー装置１５は、図２に示すように、筐体内部において、後処理ユニット３０が設けられ、後処理ユニット３０の上方に、搬送ユニット１９に対向して、搬送路３３が設けられている。
【００５７】
フィニッシャー装置１５は、搬送ユニット１９から出力される記録シートに対して、シート束の整合及びステープル綴じ等の後処理を実行しない場合は、その記録シートを、搬送路３３を搬送させて、排出トレイ３１に排出させる。
【００５８】
一方、後処理を実行する場合には、搬送ユニット１９から出力される記録シートは、搬送路３３において、分岐して後処理ユニット３０に搬送される。後処理ユニット３０は、シート束を整合し、シート束にステープル綴じを行い、整合及びステープル綴じが行われたシート束を排出トレイ３２に排出させる。
【００５９】
なお、フィニッシャー装置１５は、シート束の左端において、パンチ（２穴パンチ）を行う後処理機能を有している、としてもよい。
【００６０】
１．２  主制御部１００
主制御部１００は、図３に示すように、ＣＰＵ２０、ＲＡＭ２１、ＲＯＭ２２、通信インターフェース１６、データ記憶部２３などから構成されている。
【００６１】
ＲＯＭ２２には、プログラム１１３が記憶されている。プログラム１１３は、例えば、操作装置１１、ディスプレィ装置１２、スキャナー装置１３、プリンター装置１４、通信インターフェース１６、ドキュメントフィーダー１７、給紙装置１８、データ記憶部２３などを制御するための制御用のコンピュータープログラムである。
【００６２】
また、ＲＡＭ２１には、プログラム１１１及びデータ１１２が記憶されている。データ１１２には、各種の制御変数、操作パネルにより設定されたコピー枚数など及び禁止画像１２７ａ、１２７ｂ、・・・及び禁止標章１２８ａ、１２８ｂ、・・・が含まれる。また、ＲＡＭ２１は、ＣＰＵ２０によるプログラム実行時のワークエリアを提供する。禁止画像１２７ａ、１２７ｂ、・・・及び禁止標章１２８ａ、１２８ｂ、・・・、及び、プログラム１１１については、後述する。
【００６３】
ＣＰＵ２０は、ＲＯＭ２２に記憶されているプログラム１１３に従って動作することにより、操作装置１１、ディスプレィ装置１２、スキャナー装置１３、プリンター装置１４、通信インターフェース１６、ドキュメントフィーダー１７、給紙装置１８、データ記憶部２３などを制御する。
【００６４】
通信インターフェース１６は、受信部１６Ｒ及び送信部１６Ｔから構成されている。受信部１６Ｒは、例えば、ＬＡＮ（Local Area Network）等の通信ネットワーク３を介して、ＰＣなどの外部端末装置からのプリントジョブを受け付ける。また、送信部１６Ｔは、例えば、スキャナー装置１３により原稿面から読み取られた画像データを、通信ネットワーク３を介して、外部端末装置に対して、送信する。通信インターフェース１６は、携帯端末との間でデータの送受信を行うため、無線通信装置を備える、としてもよい。その他、通信インターフェース１６は、ＮＩＣ（Network Interface Card）、モデム、ＴＡ（Terminal Adapter）等を備える、としてもよい。
【００６５】
データ記憶部２３は、ハードディスク２３Ｈ及びカードリーダー２３Ｒから構成されている。ハードディスク２３Ｈは、画像データ及びその他のデータ等を記憶するために用いられる。カードリーダー２３Ｒは、メモリカード９１に記憶されているデータを読み出し、又は、データをメモリカード９１に書き込む。
【００６６】
１．３  ＲＡＭ２１に記憶されているプログラム１１１及びデータ１１２
ＲＡＭ２１に記憶されているプログラム１１１には、図３に示すように、ＲＩＰプログラム１２１、編集処理プログラム１２２、画像加工プログラム１２３、検知処理プログラム１２４、イメージログ記録プログラム１２５、追加工プログラム１２６などが含まれる。
【００６７】
また、データ１１２は、図３に示すように、複製の禁止を示す参照画像として、禁止画像１２７ａ、１２７ｂ、・・・及び禁止標章１２８ａ、１２８ｂ、・・・を含んでいる。ここで、参照画像は、複製が禁止された禁止画像又は複製の禁止を示す禁止画像を含むとしてもよいし、参照画像は、所定の特徴を有する特徴パターンを含むとしてもよい。
【００６８】
ここで、編集処理プログラム１２２、画像加工プログラム１２３、検知処理プログラム１２４及びイメージログ記録プログラム１２５に従って、ＣＰＵ２０が動作することにより、それぞれ、図４に示す編集処理部１２２Ａ、画像加工部１２３Ａ（記憶制限手段）、検知処理部１２４Ａ（検知手段）及びイメージログ記録部１２５Ａが動作する。
【００６９】
画像加工部１２３Ａ、検知処理部１２４Ａ、イメージログ記録部１２５Ａ及びデータ記憶部２３は、コピージョブ、スキャンジョブ、プリントジョブ等の画像処理ジョブの実行結果を示す画像データをイメージログとして管理するイメージログ管理装置７を構成している。
【００７０】
（１）禁止画像１２７ａ、１２７ｂ、・・・
禁止画像１２７ａ、１２７ｂ、・・・（図３）は、それぞれ、紙幣（日本銀行券及び外国の紙幣）、証券、金券、証書、証明書、免許証等、複製が禁止された証票面に表された画像の全部又はその一部の画像である。
【００７１】
ここで、１個の禁止画像は、例えば、日本銀行券である千円札の表面に表された全体の画像を含むとしてもよいし、別の１個の禁止画像は、千円札の裏面に表された全体の画像を含むとしてもよい。また、１個の禁止画像は、千円札の表面（又は裏面）に表された全体の画像のうち、特徴的な部分の画像であるとしてもよい。別の１個の禁止画像は、千円札の表面（又は裏面）に表された全体の画像のうち、別の特徴的な部分の画像であるとしてもよい。紙幣以外のその他の証票についても、同様である。
【００７２】
（２）禁止標章１２８ａ、１２８ｂ、・・・
文書の表面に、営業秘密であることを示す禁止標章、例えば、「機密情報」、「秘密情報」、「confidential」、「社外秘」などの文字からなるマークが付されている場合には、当該文書に記載された内容は、営業秘密であるとして、外部に漏洩しないように、保護される必要がある。ここで、営業秘密には、技術上の情報である技術上の秘密が含まれる。
【００７３】
このように、禁止標章１２８ａ、１２８ｂ、・・・（図３）は、営業秘密が記載された文書の複製を禁止することを示すマークである。
【００７４】
（３）ＲＩＰプログラム１２１
ＲＩＰプログラム１２１は、例えば、通信ネットワーク３を介して、外部端末装置から受信したプリントジョブから、画像データを生成する。
【００７５】
（４）編集処理プログラム１２２
編集処理プログラム１２２は、例えば、ＲＩＰプログラム１２１又はスキャナー装置１３から出力され、レッド（Ｒ）、グリーン（Ｇ）、ブルー（Ｂ）の多値デジタル信号からなる画像データを色変換して、イエロー（Ｙ）、マゼンタ（Ｍ）、シアン（Ｃ）、ブラック（Ｋ）の各再現色の画像データを生成する（色変換）。また、編集処理プログラム１２２は、例えば、複数枚分の画像データを、一枚ずつ、縮小又は拡大（倍率変換）して、縮小又は拡大された画像データを生成する。さらに、編集処理プログラム１２２は、例えば、２枚分の縮小された画像データを連結して、２ｉｎ１の形式の画像データを生成する。
【００７６】
編集処理プログラム１２２は、上記の編集（色変換、倍率変換等）をした後の画像データを、画像加工プログラム１２３及び検知処理プログラム１２４に対して出力する。
【００７７】
編集処理プログラム１２２は、検知処理プログラム１２４から、禁止画像又は禁止標章が検知された旨の通知を受信する。禁止画像又は禁止標章が検知された旨の通知を受信する場合には、後述する検知領域情報も受信する。禁止画像又は禁止標章が検知された旨の通知を受信すると、編集処理プログラム１２２は、上記の編集（色変換、倍率変換等）をした後の画像データにおいて、受信した検知領域情報により示される領域（つまり、禁止画像に相当する画像、又は、禁止標章を含む画像）に、単一色の複数の画素が密集して配された高密度画像を上書きする。ここで、高密度画像のサイズは、検知領域情報により示される領域と同じサイズである。また、高密度画像は、その全面が白色（又は、他の色）の画素で覆われているベタ画像であってもよい。これにより、禁止画像に相当する画像、又は、禁止標章を含む画像を人が認識することは不可能となる。なお、高密度画像として、ベタ画像に代えて、密に配されたハッチングパターンからなる画像を上書きしてもよいし、密に配されたドットパターンからなる画像を上書きしてもよい。編集処理プログラム１２２は、検知領域情報により示される領域が、高密度画像により上書きされた画像データを、プリンター装置１４に対して出力する。
【００７８】
編集処理プログラム１２２は、検知処理プログラム１２４から、禁止画像及び禁止標章が検知された旨の通知を受信しない場合、上記の編集（色変換、倍率変換等）をした後の画像データを、プリンター装置１４に対して出力する。
【００７９】
（５）画像加工プログラム１２３
画像加工プログラム１２３は、編集処理プログラム１２２から出力された画像データにより表される画像に対して、所定の縮小率（第１縮小率）の画像縮小（加工）処理を施して、縮小画像を生成し、ログ情報として、縮小画像を表した画像データを生成する。この縮小画像を表した画像データは、コピージョブ又はスキャンジョブ等の実行結果を示すログ情報（イメージログ）として用いられる。
【００８０】
なお、画像加工プログラム１２３は、編集処理プログラム１２２から出力された画像データにより表される画像に対して、画像縮小処理を施すことなく、画像データにより表される全体の画像をそのまま、ログ情報（イメージログ）として、生成してもよい。また、画像データにより表される画像の一部の画像を、ログ情報（イメージログ）として、生成してもよい。また、画像加工プログラム１２３は、画像縮小処理に代えて、画素の間引き処理を施してもよい。また、画像加工プログラム１２３は、画像縮小処理に代えて、画像データを表す画像に、縦横比率の異なる拡大縮小変換を施してもよい。また、画像加工プログラム１２３は、画像縮小処理に代えて、多値画像データ（カラー画像データ）を、２値画像データ（モノクロ画像データ）に変換する色変換を施してもよい。また、画像加工プログラム１２３は、画像縮小処理（又は、間引き処理）、縦横比率の異なる拡大縮小変換及び色変換を組み合わせて用いてもよい。
【００８１】
画像加工プログラム１２３は、編集処理プログラム１２２から出力された画像データにより表される画像について、図形が表された図形画像からなる領域と、文字が表された文字画像からなる領域とを分離してもよい。
【００８２】
また、画像加工プログラム１２３は、文字からなる領域に表示される文字画像に対して、文字認識処理を施して、それぞれの文字画像により表される文字を示す文字コードを生成し、文字からなる領域について、文字コードからなるテキストデータを生成してもよい。
【００８３】
画像加工プログラム１２３は、検知処理プログラム１２４から、禁止画像が検知された旨、又は、禁止標章が検知された旨の通知、及び、検知領域情報を受信する。禁止画像が検知された旨、又は、禁止標章が検知された旨の通知、及び、検知領域情報を受信すると、画像加工プログラム１２３は、生成されたログ情報の全体を破棄（削除）する。このように、生成されたログ情報が破棄されるので、ログ情報が外部に漏洩することはない。
【００８４】
なお、画像加工プログラム１２３により、画像データにより表される画像を縮小して、ログ情報が生成された場合、検知領域情報により示される領域は、画像データを縮小した縮小画像において、相当する領域である。
【００８５】
禁止画像が検知された旨、及び、禁止標章が検知された旨の通知、並びに、検知領域情報を受信しなかった場合、画像加工プログラム１２３は、ログ情報をそのまま、イメージログ記録プログラム１２５に対して出力する。
【００８６】
禁止画像が検知された旨、又は、禁止標章が検知された旨の通知された場合、ログ情報は破棄されるで、画像加工プログラム１２３がログ情報をイメージログ記録プログラム１２５に対して出力することはない。
【００８７】
（６）検知処理プログラム１２４
検知処理プログラム１２４は、編集処理プログラム１２２から編集（色変換及び倍率変換等）がされた後の画像データを取得する。次に、検知処理プログラム１２４は、取得した画像データ内に、参照画像として、禁止画像又は禁止標章が含まれるか否かを検知する。禁止画像を検知した場合、検知処理プログラム１２４は、画像データにおいて、禁止画像が占める領域（一部の画像）を示す検知領域情報を生成する。なお、禁止画像を検知した場合、複製が禁止される領域として、画像データの全体領域（全体の画像）を示す検知領域情報を生成してもよい。また、禁止標章を検知した場合、複製が禁止される領域として、画像データの全体領域を示す検知領域情報を生成する。
【００８８】
検知処理プログラム１２４は、禁止画像又は禁止標章を検知した場合、禁止画像又は禁止標章を検知した旨を編集処理プログラム１２２、画像加工プログラム１２３及び追加工プログラム１２６に対して、通知する。また、検知処理プログラム１２４は、禁止画像又は禁止標章を検知した場合、検知領域情報を編集処理プログラム１２２及び画像加工プログラム１２３に対して、通知する。
【００８９】
（７）イメージログ記録プログラム１２５
イメージログ記録プログラム１２５は、画像加工プログラム１２３から、ログ情報を受信する。ログ情報を受信すると、イメージログ記録プログラム１２５は、データ記憶部２３のハードディスク２３Ｈに対して、受信したログ情報を書き込む。
【００９０】
（８）追加工プログラム１２６
追加工プログラム１２６は、検知処理プログラム１２４から、禁止画像が検知された旨、又は、禁止標章が検知された旨の通知を受信する。禁止画像が検知された旨、又は、禁止標章が検知された旨の通知を受信すると、追加工プログラム１２６は、追加工部１２６Ａに対して、記録シートの表面に、禁止画像又は禁止標章が検知されたことを示す検知印を押すように、制御する。
【００９１】
１．４  画像形成システム４におけるコピージョブの実行及びログ情報の生成
図４に示すブロック図を用いて、一例として、画像形成システム４におけるコピージョブの実行及びログ情報の生成について説明する。
【００９２】
給紙装置１８は、プリンター装置１４に対して、記録シートを給送する。
【００９３】
スキャナー装置１３は、原稿面を読み取って、画像データを生成し、生成した画像データを編集処理部１２２Ａに対して出力する。
【００９４】
編集処理部１２２Ａは、生成された画像データに色変換等の編集を施し、編集された画像データを検知処理部１２４Ａ及び画像加工部１２３Ａに対して出力する。
【００９５】
検知処理部１２４Ａは、編集処理部１２２Ａから編集がされた後の画像データを取得する。次に、検知処理部１２４Ａは、取得した画像データから、禁止画像又は禁止標章を検知する。禁止画像又は禁止標章を検知すると、検知処理部１２４Ａは、検知領域情報を、編集処理部１２２Ａ及び画像加工部１２３Ａに対して出力する。
【００９６】
禁止画像又は禁止標章が検知された場合、編集処理部１２２Ａは、検知領域情報により示される領域に高密度画像を上書きし、検知領域情報により示される領域が上書きされた画像データをプリンター装置１４に対して出力する。禁止画像及び禁止標章が検知されない場合、編集処理部１２２Ａは、色変換等の編集を施した画像データ（高密度画像が上書きされない画像データ）をプリンター装置１４に対して出力する。
【００９７】
プリンター装置１４は、記録シート上に、画像を形成する。禁止画像又は禁止標章が検知された場合、追加工部１２６Ａは、記録シートの表面に、禁止画像又は禁止標章が検知されたことを示す検知印を押す。次に、記録シートは、後処理ユニット３０に搬送され、後処理ユニット３０は、シート束にステープル綴じを行い、整合及びステープル綴じが行われたシート束を排出トレイ３２に排出する。
【００９８】
画像加工部１２３Ａ（ログ生成手段）は、編集処理部１２２Ａから受け取った画像データに、画像縮小処理を施して、ログ情報として、画像を縮小した画像データを生成する。禁止画像が検知された場合、又は、禁止標章が検知された場合、画像加工部１２３Ａは、生成されたログ情報を破棄する。このように、禁止画像が検知された場合、又は、禁止標章が検知された場合、生成されたログ情報が破棄されるので、ログ情報が外部に漏洩することはない。
【００９９】
禁止画像が検知されなかった場合、及び、禁止標章が検知されなかった場合、画像加工部１２３Ａは、ログ情報をそのまま、イメージログ記録部１２５Ａに対して出力する。
【０１００】
イメージログ記録部１２５Ａは、受け取ったログ情報をデータ記憶部２３に書き込む。
【０１０１】
通信インターフェース１６の送信部１６Ｔは、定期的に、データ記憶部２３に書き込まれたログ情報を、通信ネットワーク３を介して、サーバー装置２に対して送信する。
【０１０２】
なお、スキャナー装置１３により生成され、編集処理部１２２Ａにより色変換等の編集が施された画像データを印刷イメージデータと呼ぶこともある。また、ログ情報は、上記の通り、編集処理部１２２Ａから受け取った画像データに、画像縮小処理を施して、生成された縮小画像データであるので、印刷イメージログと呼ぶこともある。
【０１０３】
上記においては、スキャナー装置１３により生成された画像データについて、検知処理部１２４Ａは、禁止画像又は禁止標章を検知している。当然、これには限定されない。ＲＩＰプログラム１２１は、通信ネットワーク３を介して、外部端末装置から受信したプリントジョブから、画像データを生成する。検知処理部１２４Ａは、ＲＩＰプログラム１２１により生成された画像データについて、禁止画像又は禁止標章を検知してもよい。
【０１０４】
１．５  サーバー装置２
サーバー装置２は、図５に示すように、制御部２０１、通信部２０２及び記憶部２０３から構成されている。サーバー装置２は、プロセッサー及びメモリ等を備えたコンピューターシステムであって、制御部２０１及び通信部２０２は、メモリに記憶されているコンピュータープログラムに従って、プロセッサーが動作することにより、その機能を果たす。
【０１０５】
記憶部２０３は、一例として、ハードディスクから構成され、印刷イメージログ２１１、・・・等を記憶するための領域を備えている。
【０１０６】
通信部２０２は、通信ネットワーク３に接続され、通信ネットワーク３に接続された外部装置、例えば、画像形成システム４と、制御部２０１との間で、情報の送受信を中継する。
【０１０７】
制御部２０１は、通信部２０２及び記憶部２０３を制御する。
【０１０８】
また、制御部２０１は、画像形成システム４から、通信ネットワーク３及び通信部２０２を介して、印刷イメージログを受信し、受信した印刷イメージログを記憶部２０３に書き込む。
【０１０９】
さらに、制御部２０１は、例えば、記憶部２０３に書き込まれた印刷イメージログを用いて、画像形成システム４における稼働状況を分析する。
【０１１０】
１．６  印刷イメージデータ１３１、印刷物１３２ａ及び印刷イメージログ１３３ａ
一例として、図６に示す印刷イメージデータ１３１、印刷物１３２ａ及び印刷イメージログ１３３ａを用いて、画像形成システム４におけるコピージョブの実行及びログ情報の生成について説明する。
【０１１１】
スキャナー装置１３により生成され、編集処理部１２２Ａにより編集された印刷イメージデータ１３１に対して、検知処理部１２４Ａにより、禁止画像又は禁止標章の検知処理１４１がされる。禁止画像又は禁止標章が検知された場合、編集処理部１２２Ａにより印刷イメージデータ１３１の禁止画像等に高密度画像が上書きされ、その結果、プリンター装置１４により、印刷物１３２ａが出力される。なお、図６に示す印刷物１３２ａは、ベタ画像により上書きする例を示している。
【０１１２】
一方、画像加工部１２３Ａにより、印刷イメージデータ１３１に対して、画像縮小処理を施して、ログ情報として、画像を縮小した印刷イメージログ１３３ａが生成される。ここで、検知処理部１２４Ａにより、禁止画像又は禁止標章が検知され、検知領域情報により示される領域が存在する場合、画像加工部１２３Ａにより、ログ情報としての印刷イメージログ１３３ａが破棄される。
【０１１３】
つまり、画像加工部１２３Ａは、禁止画像又は禁止標章が検知される場合、コピージョブの実行の結果生成されるログ情報内に、画像データにより表される画像のうち、全体の画像をそのまま包含させることを制限する。
【０１１４】
このように、禁止画像が検知された場合、又は、禁止標章が検知された場合、生成されたログ情報としての印刷イメージログ１３３ａが破棄されるので、ログ情報が外部に漏洩することはない。
【０１１５】
１．７  イメージログ管理システム６における動作
イメージログ管理システム６における動作について、図７に示すフローチャートを用いて説明する。
【０１１６】
スキャナー装置１３は、原稿から画像を読み取って、画像データを生成し（ステップＳ１０１）、編集処理部１２２Ａは、色変換を行い（ステップＳ１０２）、さらに、倍率変換を行う（ステップＳ１０３）。
【０１１７】
検知処理部１２４Ａは、編集処理部１２２Ａにより編集された画像データを構成する複数の検知ブロックのそれぞれについて、検知ブロックのバッファ（ＲＡＭ２１）への記録（ステップＳ１０５）と、記録した検知ブロックについての検知処理（ステップＳ１０６）とを、検知ブロック毎に繰り返す（ステップＳ１０４〜Ｓ１０７）。
【０１１８】
次に、検知処理部１２４Ａにより禁止画像又は禁止標章が検知される場合（ステップＳ１０８で「有り」）、編集処理部１２２Ａにより、画像データにおいて、検知領域情報により示される領域に高密度画像を上書きする処理が施される（ステップＳ１１０）。この場合、検知処理部１２４Ａから画像加工部１２３Ａに対して、検知領域情報が通知される（ステップＳ１０９）。
【０１１９】
検知処理部１２４Ａにより禁止画像又は禁止標章が検知されない場合（ステップＳ１０８で「無し」）、ステップＳ１１０の上書き及びステップＳ１０９の通知はされない。
【０１２０】
次に、プリンター装置１４により、高密度画像が上書きされない、又は、高密度画像が上書きされた画像データが印刷される（ステップＳ１１１）。
【０１２１】
コピージョブについて、全てのページの印刷が完了していなければ（ステップＳ１１２でＮＯ）、ステップＳ１０１に戻って、処理が繰り返される。
【０１２２】
コピージョブについて、全てのページの印刷が完了すれば（ステップＳ１１２でＹＥＳ）、送信部１６Ｔにより、ログ情報としての印刷イメージログがサーバー装置２に対して送信される。サーバー装置２の通信部２０２は、印刷イメージログを受信する（ステップＳ１１３）。記憶部２０３は、受信した印刷イメージログを記憶する（ステップＳ１１４）。これにより、ログ情報としての印刷イメージログについての処理が終了する。
【０１２３】
一方、編集処理部１２２Ａによる倍率変換が終了すると（ステップＳ１０３）、画像加工部１２３Ａは、画像データを縮小して、ログ情報として印刷イメージログを生成する（ステップＳ１３１）。画像加工部１２３Ａは、印刷イメージログに対して、コピージョブを識別するジョブＩＤ、ジョブの種類、ジョブ受付時刻（年月日、時分秒）、ジョブ終了時刻（年月日、時分秒）、ジョブステータス等を付加する（ステップＳ１３２）。次に、画像加工部１２３Ａ（画像加工手段）は、印刷イメージログから、テキストデータ部分（文字が表された文字画像）と画像データ部分（図形が表された図形画像）とを分離する（ステップＳ１３３）。
【０１２４】
次に、画像加工部１２３Ａは、検知領域情報を入手する（ステップＳ１０９、Ｓ１３４）。検知領域が存在しない場合（ステップＳ１３５で「無し」）、イメージログ記録部１２５Ａは、印刷イメージログをデータ記憶部２３に書き込む（ステップＳ１３７）。
【０１２５】
一方、検知領域が存在する場合（ステップＳ１３５で「有り」）、画像加工部１２３Ａは、印刷イメージログを破棄する。印刷イメージログは、データ記憶部２３に書き込まれない（ステップＳ１３６）。このため、印刷イメージログが、ステップＳ１１３において、サーバー装置２に対して送信されることはない。
【０１２６】
次に、ステップＳ１１２に制御が移り、処理が繰り返される。
【０１２７】
１．８  まとめ
以上説明したように、印刷イメージデータとしての画像データ内に、禁止画像又は禁止標章が検知された場合、ログ情報としての印刷イメージログは、破棄される。つまり、画像データ内に、禁止画像又は禁止標章が検知される場合、ログ情報内に、画像データにより表される画像のうち、全体の画像をそのまま包含させることを制限している。従って、ログ情報としての印刷イメージログが外部に漏洩することはない。こうして、禁止画像又は禁止標章が含まれる画像が外部に漏洩することを防ぐことができる。
【０１２８】
なお、画像加工部１２３Ａ（ログ生成手段）は、画像データにより表される画像のうち、全体の画像、一部の画像又はこれらの画像に加工を施した加工画像を含むログ情報を生成してもよい。ここで、画像加工部１２３Ａ（記憶制限手段）は、参照画像が検知される場合、生成されたログ情報を破棄してもよい。
【０１２９】
２  変形例（１）
上記の実施の形態１の変形例（１）について、実施の形態１との相違点を中心として説明する。
【０１３０】
実施の形態１では、禁止画像又は禁止標章が検知された場合、ログ情報としての印刷イメージログは、破棄される。しかし、本発明は、これには限定されない。
【０１３１】
変形例（１）においては、画像加工部１２３Ａ（記憶制限手段）は、禁止画像又は禁止標章が検知された場合、生成されたログ情報において、検知領域情報により示される領域の画像を消去する。具体的には、検知領域情報により示される領域に、単一色の複数の画素が密集して配された高密度画像として、当該領域と同じサイズの白色画像であるベタ画像を上書き（マスキング）する（検知領域情報により示される領域に、高密度画像を上書きする）。つまり、検知領域情報により示される領域に、ベタ画像を重ねて、描画する。これにより、検知領域情報により示される領域に元々存在した画像を人が認識することは不可能となる。
【０１３２】
ここで、ベタ画像は、白色画像には限定されない。ベタ画像は、他の色の画像であるとしてもよい。また、ベタ画像の上書きに代えて、密に配されたハッチングパターンからなる画像を検知領域情報により示される領域に上書きしてもよいし、密に配されたドットパターンからなる画像を検知領域情報により示される領域に上書きしてもよい。これらによっても、検知領域情報により示される領域に元々存在した画像を人が認識することは不可能となる。
【０１３３】
ここで、画像データにより表される画像を縮小しないで、元の画像データがそのまま、ログ情報とされる場合、検知領域情報が画像データにより表される画像の全体又は一部を示すのであれば、画像加工部１２３Ａは、禁止画像又は禁止標章が検知された場合、画像データにより表される画像のうち、全体の画像又は一部の画像をログ情報内に包含させることを制限する。
【０１３４】
一方、画像データにより表される画像を縮小して生成された縮小画像がログ情報とされる場合、検知領域情報が画像データにより表される画像の全体又は一部を示すのであれば、画像加工部１２３Ａは、禁止画像又は禁止標章が検知された場合、画像データにより表される画像のうち、全体の画像又は一部の画像を加工（縮小）した加工画像をログ情報内に包含させることを制限してもよい。
【０１３５】
（印刷イメージデータ１３１、印刷物１３２ｂ及び印刷イメージログ１３３ｂ）
一例として、図８に示す印刷イメージデータ１３１、印刷物１３２ｂ及び印刷イメージログ１３３ｂを用いて、変形例（１）におけるコピージョブの実行及びログ情報の生成について説明する。なお、ここでは、図６との相違点を中心として、説明する。
【０１３６】
検知処理部１２４Ａにより、禁止画像又は禁止標章が検知された場合、編集処理部１２２Ａにより印刷イメージデータ１３１の検知領域情報により示される領域の画像が消去され、その結果、プリンター装置１４により、印刷物１３２ｂが出力される。
【０１３７】
一方、画像加工部１２３Ａにより、ログ情報として、画像を縮小した印刷イメージログ１３３ｂが生成される。ここで、検知処理部１２４Ａにより、禁止画像又は禁止標章が検知される場合、画像加工部１２３Ａにより、ログ情報としての印刷イメージログ１３３ｂにおいて、検知領域情報により示される領域の画像が消去される。
【０１３８】
つまり、画像加工部１２３Ａは、禁止画像が検知される場合、コピージョブの実行の結果生成されるログ情報内に、禁止画像に相当する画像を包含させることを制限する。また、画像加工部１２３Ａは、禁止標章が検知される場合、生成されるログ情報内に、取得した画像データが表す画像に相当する画像を包含させることを制限する。
【０１３９】
画像加工部１２３Ａにより、印刷イメージログ１３３ｂは、テキストデータ部分と、画像データ部分とに分離され、ログ情報として、テキスト情報１３４ｂがサーバー装置２に送信され（１４３）、画像情報１３５ｂがサーバー装置２に送信される（１４４）。ここで、画像情報１３５ｂは、白色画像のみを含んでいる。
【０１４０】
（変形例（１）のイメージログ管理システム６における動作）
変形例（１）のイメージログ管理システム６における動作について、図９に示すフローチャートを用いて説明する。なお、ここでは、図７に示す実施の形態１のイメージログ管理システム６の動作との相違点を中心として、説明する。
【０１４１】
変形例（１）においては、検知領域情報を入手し（ステップＳ１０９、Ｓ１３４）、検知領域が存在する場合（ステップＳ１３５で「有り」）、画像加工部１２３Ａは、印刷イメージログのうち、検知領域情報により示される領域の画像を消去する書き換えを行う（ステップＳ１３６ｂ）。
【０１４２】
次に、イメージログ記録部１２５Ａは、印刷イメージログをデータ記憶部２３に書き込む（ステップＳ１３７ｂ）。
【０１４３】
（まとめ）
このように、禁止画像が検知された場合、又は、禁止標章が検知された場合、生成されたログ情報としての印刷イメージログ１３３ｂのうち、検知領域情報により示される領域の画像を消去（高密度画像を上書き）する。従って、ログ情報が外部に漏洩した場合であっても、検知領域情報により示される領域の画像が外部に漏洩することはない。
【０１４４】
なお、画像加工プログラム１２３により、編集処理プログラム１２２から出力された画像データにより表される画像について、図形が表された図形画像からなる領域と、文字が表された文字画像からなる領域とに分離した場合、禁止画像又は禁止標章が検知されたとき、図形が表された図形画像からなる領域を、複製を禁止する領域とみなして、図形画像からなる領域を消去（高密度画像を上書き）してもよい。つまり、一部の画像である図形画像を、ログ情報内に包含させることを制限してもよい。
【０１４５】
また、画像加工部１２３Ａ（ログ生成手段）は、画像データにより表される画像のうち、全体の画像、一部の画像又はこれらの画像に加工を施した加工画像を含むログ情報を生成してもよい。ここで、画像加工部１２３Ａ（ログ生成手段）は、参照画像が検知される場合、画像加工部１２３Ａにより生成されたログ情報において、全体の画像、一部の画像又は加工画像を削除し、又は、全体の画像、一部の画像又は加工画像に、単一色の複数の画素が密集して配された高密度画像を上書きしてもよい。
【０１４６】
３  変形例（２）
上記の実施の形態１の変形例（２）について、変形例（１）との相違点を中心として説明する。
【０１４７】
変形例（１）では、禁止画像又は禁止標章が検知された場合、ログ情報としての印刷イメージログ内に含まれる検知領域情報により示される領域に高密度画像が上書きされる。しかし、本発明は、これには限定されない。
【０１４８】
変形例（２）においては、画像加工部１２３Ａ（記憶制限手段）は、禁止画像又は禁止標章が検知された場合、生成されたログ情報において、検知領域情報により示される領域の画像に、高密度画像を上書きする。これにより、検知領域情報により示される領域に元々存在した画像を人が認識することは不可能となる。
【０１４９】
さらに、画像加工部１２３Ａは、高密度画像が上書きされた領域上に、禁止画像又は禁止標章が検知され、禁止画像等をログ情報に包含させることを制限することを示す表示情報を、文字画像により、描画する。
【０１５０】
なお、高密度画像が上書きされた領域上に、禁止画像又は禁止標章が検知されたことを示す表示情報を描画することには、限定されない。ログ情報に表示情報を付加してもよい。例えば、ログ情報としての印刷イメージログ上であって、高密度画像が上書きされた領域以外の位置に、表示情報を描画してもよい。また、ログ情報に、テキストデータとして、表示情報を付加してもよい。
【０１５１】
（印刷イメージデータ１３１、印刷物１３２ｃ及び印刷イメージログ１３３ｃ）
一例として、図１０に示す印刷イメージデータ１３１、印刷物１３２ｃ及び印刷イメージログ１３３ｃを用いて、変形例（２）におけるコピージョブの実行及びログ情報の生成について説明する。なお、ここでは、図８との相違点を中心として、説明する。
【０１５２】
検知処理部１２４Ａにより、禁止画像又は禁止標章が検知された場合、編集処理部１２２Ａにより印刷イメージデータ１３１の検知領域情報により示される領域に高密度画像が上書きされ、その結果、プリンター装置１４により、印刷物１３２ｃが出力される。
【０１５３】
一方、画像加工部１２３Ａにより、ログ情報として、画像を縮小した印刷イメージログ１３３ｃが生成される。ここで、検知処理部１２４Ａにより、禁止画像又は禁止標章が検知される場合、画像加工部１２３Ａにより、ログ情報としての印刷イメージログ１３３ｃにおいて、検知領域情報により示される領域に高密度画像が上書きされる。
【０１５４】
さらに、画像加工部１２３Ａにより、高密度画像が上書きされた領域上に、禁止画像又は禁止標章が検知されたことを示す表示情報が、文字画像により、描画される。ここでは、「印刷不可原稿」と描画される。
【０１５５】
画像加工部１２３Ａにより、印刷イメージログ１３３ｃは、テキストデータ部分と、画像データ部分とに分離され、ログ情報として、テキスト情報１３４ｃがサーバー装置２に送信され（１４３）、画像情報１３５ｃがサーバー装置２に送信される（１４４）。ここで、画像情報１３５ｃにおいて、高密度画像上（ここでは、ベタ画像上）に、禁止画像又は禁止標章が検知されたことを示す表示情報が上書きされ、画像情報１３５ｃは、表示情報のみを含んでいる。
【０１５６】
（変形例（２）のイメージログ管理システム６における動作）
変形例（２）のイメージログ管理システム６における動作について、図１１に示すフローチャートを用いて説明する。なお、ここでは、図９に示す変形例（１）の動作との相違点を中心として、説明する。
【０１５７】
変形例（２）においては、検知領域情報を入手し（ステップＳ１０９、Ｓ１３４）、検知領域が存在する場合（ステップＳ１３５で「有り」）、画像加工部１２３Ａは、印刷イメージログのうち、検知領域情報により示される領域に高密度画像を上書きすることにより、書き換えを行う（ステップＳ１３６ｃ）。
【０１５８】
さらに、画像加工部１２３Ａは、高密度画像が上書きされた領域上に、禁止画像又は禁止標章が検知されたことを示す表示情報を、文字画像により、描画することにより、文字画像を付加する（ステップＳ１３８）。
【０１５９】
（まとめ）
このように、禁止画像が検知された場合、又は、禁止標章が検知された場合、生成されたログ情報としての印刷イメージログ１３３ｃ（図１０）のうち、検知領域情報により示される領域であって高密度画像が上書きされた領域上に、禁止画像又は禁止標章が検知されたことを示す表示情報を、文字画像により、描画するので、印刷イメージログ１３３ｃを見た利用者は、高密度画像が上書きされた理由を知ることができる。
【０１６０】
４  変形例（３）
上記の実施の形態１の変形例（３）について、実施の形態１との相違点を中心として説明する。
【０１６１】
実施の形態１では、ログ情報としての印刷イメージログは、印刷イメージデータである画像データを表した画像を、第１縮小率により、縮小することにより、生成される。ここで、禁止画像又は禁止標章が検知された場合、ログ情報としての印刷イメージログは、破棄される。しかし、本発明は、これには限定されない。
【０１６２】
変形例（３）においては、画像加工部１２３Ａ（記憶制限手段）は、禁止画像又は禁止標章が検知された場合、ログ情報が生成された際の第１縮小率が所定の第２縮小率（閾値、規定値）より大きいとき、ログ情報としての印刷イメージログにおいて、検知領域情報により示される領域に相当する領域の画像をさらに縮小する。これにより、ログ情報としての印刷イメージログにおいて、禁止画像等に相当する画像を人が認識することは不可能となる。
【０１６３】
（印刷イメージデータ１３１、印刷物１３２ｄ及び印刷イメージログ１３３ｄ、１３６ｄ）
一例として、図１２に示す印刷イメージデータ１３１、印刷物１３２ｄ及び印刷イメージログ１３３ｄ、１３６ｄを用いて、変形例（３）におけるコピージョブの実行及びログ情報の生成について説明する。なお、ここでは、図６との相違点を中心として、説明する。
【０１６４】
検知処理部１２４Ａにより、禁止画像又は禁止標章が検知された場合、編集処理部１２２Ａにより印刷イメージデータ１３１の検知領域情報により示される領域の画像が高密度画像により上書きされ、その結果、プリンター装置１４により、印刷物１３２ｄが出力される。
【０１６５】
一方、画像加工部１２３Ａにより、ログ情報としての画像を、第１縮小率により、縮小した印刷イメージログ１３３ｄが生成される。ここで、検知処理部１２４Ａにより、禁止画像又は禁止標章が検知される場合、第１縮小率と第２縮小率とが比較される。第１縮小率が第２縮小率以下の場合、印刷イメージログ１３３ｄに加工は施されない。第１縮小率が第２縮小率より大きい場合、印刷イメージログ１３３ｄの検知領域情報により示される領域に相当する領域の画像は、さらに、縮小（１４６）される。この結果、印刷イメージログ１３３ｄの検知領域情報により示される領域に相当する領域の画像は、第２縮小率以下に、縮小される。こうして、印刷イメージログ１３６ｄが生成される。
【０１６６】
画像加工部１２３Ａにより、印刷イメージログ１３６ｄは、テキストデータ部分と、画像データ部分とに分離され、ログ情報として、テキスト情報１３４ｄがサーバー装置２に送信され（１４３）、画像情報１３５ｄがサーバー装置２に送信される（１４４）。ここで、画像情報１３５ｄに含まれる縮小画像は、元の印刷イメージデータ１３１の検知領域情報により示される領域の画像から見て、第２縮小率以下の縮小率となるように、印刷イメージログ１３３ｄに含まれる縮小画像が縮小されたものである。
【０１６７】
（変形例（３）のイメージログ管理システム６における動作）
変形例（３）のイメージログ管理システム６における動作について、図１３に示すフローチャートを用いて説明する。なお、ここでは、図７に示す実施の形態１のイメージログ管理システム６の動作との相違点を中心として、説明する。
【０１６８】
変形例（３）においては、検知領域情報を入手し（ステップＳ１０９、Ｓ１３４）、検知領域が存在する場合（ステップＳ１３５で「有り」）、画像加工部１２３Ａは、ログ情報としての印刷イメージログにおいて、禁止画像等に相当する画像が元の印刷イメージデータに含まれる禁止画像等と等倍であるかを判断する（ステップＳ１３８ｄ）。
【０１６９】
等倍でない場合（ステップＳ１３８ｄでＮＯ）、第１縮小率と第２縮小率（規定値）とが比較される（ステップＳ１３９ｄ）。第１縮小率が第２縮小率以下の場合（ステップＳ１３９ｄでＹＥＳ）、印刷イメージログ１３３ｄに加工は施されない。
【０１７０】
禁止画像等に相当する画像が元の印刷イメージデータに含まれる禁止画像等と等倍である場合（ステップＳ１３８ｄでＹＥＳ）、又は、第１縮小率が第２縮小率より大きい場合（ステップＳ１３９ｄでＮＯ）、画像加工部１２３Ａは、印刷イメージログ１３３ｄの禁止画像等に相当する画像を、さらに、縮小する（ステップＳ１３６ｄ）。
【０１７１】
次に、イメージログ記録部１２５Ａは、印刷イメージログをデータ記憶部２３に書き込む（ステップＳ１３７ｂ）。
【０１７２】
（まとめ）
上記の通り、画像加工部１２３Ａにより、ログ情報としての画像を、第１縮小率により、縮小した印刷イメージログ１３３ｄが生成される。禁止画像又は禁止標章が検知される場合、第１縮小率と第２縮小率（規定値）とが比較される。第１縮小率が第２縮小率以下の場合、印刷イメージログ１３３ｄに加工は施されない。第１縮小率が第２縮小率より大きい場合、印刷イメージログ１３３ｄの禁止画像等に相当する画像は、さらに、縮小される。この結果、ログ情報が外部に漏洩した場合であっても、禁止画像等に相当する画像が外部に漏洩して、本物として使用されることはない。
【０１７３】
ログ情報に含まれる禁止画像等に相当する画像が、元の禁止画像等と同一、又は、元の禁止画像等と比較して、人により見分けられない程度に、類似している場合、ログ情報に含まれる禁止画像等に相当する画像が、本物として、使用される可能性がある。これを避けるため、ログ情報に含まれる禁止画像等に相当する画像は、さらに縮小（第２の縮小）される。この場合、第２の縮小に代えて、ログ情報に含まれる禁止画像等に相当する画像を除去してもよいし、当該画像に高密度画像を上書きしてもよい。
【０１７４】
一方、ログ情報に含まれる禁止画像等に相当する画像が、元の禁止画像等と比較して、人により容易に見分けることができる程度に、異なっている場合、例えば、禁止画像等に相当する画像がもはや複製を禁止すべき画像であると人により認識できない程度に縮小されている場合には、禁止画像等に相当する画像をさらに縮小する必要はないし、禁止画像等に相当する画像を除去する必要はないし、また、禁止画像等に相当する画像に高密度画像を上書きする必要もない。
【０１７５】
ここで、スキャナー装置１３により、原稿面を読み取って、生成した画像データ内に、又は、通信ネットワーク３を介して、外部端末装置から受信したプリントジョブから、ＲＩＰプログラム１２１により生成した画像データ内に、禁止画像を、例えば、１．５倍に拡大した画像が含まれる場合、変形例（３）に示すように、画像データを、例えば、１／１．５倍に縮小したとすると、禁止画像に相当する画像が、元の禁止画像と同じサイズとなる可能性がある。この場合に、縮小された画像が、ログ情報として、外部に漏洩すると、禁止画像等に相当する画像が本物として使用されるおそれがあるので、このような事態は避けなければならない。従って、禁止画像又は禁止標章が検知される場合、画像データにより表される画像に相当する原寸大の画像に対する、ログ情報に含まれ縮小された前記画像の第１縮小率が第２縮小率（規定値）以下であるとき、ログ情報をそのまま維持する。一方、第１縮小率が第２縮小率を超えるとき、ログ情報内において、第１縮小率が第２縮小率以下となるように、縮小した画像をさらに縮小してもよい。
【０１７６】
ここで、図３に示すＲＡＭ２１は、禁止画像等として、原寸大の禁止画像等を、例えば、０．５倍、０．６倍、０．７倍、０．８倍、０．９倍に縮小、又は、１．１倍、１．２倍、１．３倍、１．４倍、１．５倍に拡大して得られた禁止画像等を、倍率と対応させて記憶している、としてもよい。画像データ内に、これらの縮小又は拡大された禁止画像等が検知されると、検知された禁止画像等に対応する倍率により、禁止画像等の原寸を知ることができる。
【０１７７】
５  実施の形態２
本発明に係る別の実施の形態としてのイメージログ管理システム６ｅ（図示していない）について、実施の形態１との相違点を中心として、図面を参照しながら説明する。
【０１７８】
イメージログ管理システム６ｅは、実施の形態１の画像形成システム４に代えて、画像形成システム４ｅ（図１４）を含んで、構成されている。
【０１７９】
つまり、イメージログ管理システム６ｅは、画像形成システム４ｅ及びサーバー装置２から構成され、画像形成システム４ｅとサーバー装置２とは、通信ネットワーク３を介して接続されている。
【０１８０】
画像形成システム４ｅは、画像形成システム４と同様に、例えば、原稿面を読み取って、電子写真方式により記録シートに画像を形成するコピージョブを実行する。また、画像形成システム４ｅは、コピージョブの実行結果を示す画像データとして、イメージログを生成し、管理するイメージログ管理装置７ｅ（図１６）を備える。また、画像形成システム４ｅは、生成したログ情報を、通信ネットワーク３を介して、サーバー装置２に対して送信する。
【０１８１】
サーバー装置２は、実施の形態１のサーバー装置２と同一である。
【０１８２】
５．１  画像形成システム４ｅ
図１４に示すように、画像形成システム４ｅは、電子写真方式により記録シートに画像を形成する画像形成装置１ｅ（画像処理装置）と、禁止画像又は禁止標章を検知し、禁止画像又は禁止標章を含む画像が形成された記録シートをストックするための読取装置５（検査装置）と、フィニッシャー装置１５とから構成されている。
【０１８３】
フィニッシャー装置１５は、実施の形態１のフィニッシャー装置１５と、同一の構成である。従って、フィニッシャー装置１５についての説明を省略する。
【０１８４】
（１）画像形成装置１ｅ
画像形成装置１ｅは、以下に示す点を除いて、実施の形態１の画像形成装置１と、同一の構成である。
【０１８５】
画像形成装置１ｅの主制御部１００を図１５に示す。
【０１８６】
主制御部１００のＲＡＭ２１は、実施の形態１のプログラム１１１に代えて、図１５に示すように、プログラム１１１ｅを記憶している。
【０１８７】
プログラム１１１ｅは、ＲＩＰプログラム１２１、編集処理プログラム１２２等を含んでいる。
【０１８８】
ＲＩＰプログラム１２１及び編集処理プログラム１２２は、実施の形態１のＲＩＰプログラム１２１及び編集処理プログラム１２２と同一である。
【０１８９】
ここで、編集処理プログラム１２２に従って、ＣＰＵ２０が動作することにより、図１６に示す編集処理部１２２Ａが動作する。この点も、実施の形態１と同様である。
【０１９０】
また、図１４に示すように、搬送ユニット１９では、水平方向に搬送路が形成されており、当該搬送路に沿って列設された複数の搬送ローラー対によって、画像形成済みの記録シートが読取装置５へ出力される。
【０１９１】
（２）読取装置５
読取装置５は、図１４に示すように、筐体内部において、ストック部２５が設けられ、ストック部２５の上方に、搬送ユニット１９に対向して、搬送路２６が設けられている。また、筐体内部に主制御部２４が設けられ、読取装置５は、イメージログ管理装置７ｅ（図１６）を有している。
【０１９２】
搬送路２６のうち、搬送ユニット１９側の部分には、搬送路２６を上下から挟み込むように、搬送ユニット１９から搬送された記録シート上の画像において、禁止画像又は禁止標章を検知するスキャン部３０４が設けられている。
【０１９３】
読取装置５は、スキャン部３０４により禁止画像及び禁止標章を検知しない場合、主制御部２４の制御により、その記録シートを、搬送路２６を通過させて、フィニッシャー装置１５の搬送路３３に向けて出力する。
【０１９４】
一方、スキャン部３０４により禁止画像又は禁止標章を検知する場合、主制御部２４の制御により、搬送ユニット１９から出力される記録シートは、搬送路２６の途中において、分岐してストック部２５に搬送される。ストック部２５は、禁止画像又は禁止標章を検知した記録シートを収容する。ストック部２５は、一般の利用者により、ストック部２５内に収容された記録シートの取り出しができないように、ロックされている。
【０１９５】
（３）主制御部２４及びスキャン部３０４
主制御部２４は、図１５に示すように、ＣＰＵ３０１、ＲＡＭ３０２、ＲＯＭ３０３、画像メモリ３０５、データ記憶部３０６などから構成されている。
【０１９６】
ＲＯＭ３０３には、プログラム３１３が記憶されている。プログラム３１３は、例えば、主制御部２４を統一的に制御するための制御用のコンピュータープログラムである。
【０１９７】
また、ＲＡＭ３０２には、プログラム３１１及びデータ３１２が記憶されている。データ３１２には、スキャン部３０４等で用いられる各種の制御変数、禁止画像３２７ａ、３２７ｂ、・・・及び禁止標章３２８ａ、３２８ｂ、・・・が含まれる。また、ＲＡＭ３０２は、ＣＰＵ３０１によるプログラム実行時のワークエリアを提供する。
【０１９８】
ＣＰＵ３０１は、ＲＯＭ３０３に記憶されているプログラム３１３に従って動作することにより、画像メモリ３０５、データ記憶部３０６などを制御する。
【０１９９】
データ記憶部３０６は、例えば、ハードディスクから構成されている。データ記憶部３０６は、後述するログ情報等を記憶するために用いられる。
【０２００】
ＲＡＭ３０２に記憶されているプログラム３１１には、図１５に示すように、検知処理プログラム３２１、スキャン処理プログラム３２２、画像加工プログラム３２３、イメージログ記録プログラム３２４、モニタ表示処理プログラム３２５などが含まれる。
【０２０１】
ここで、検知処理プログラム３２１、画像加工プログラム３２３、イメージログ記録プログラム３２４に従って、ＣＰＵ３０１が動作することにより、それぞれ、図１６に示す検知処理部３２１Ｅ（検知手段）、画像加工部３２３Ｅ（記憶制限手段）、イメージログ記録部３２４Ｅが動作する。
【０２０２】
また、スキャン部３０４は、スキャン処理プログラム３２２に従って、動作し、搬送ユニット１９から出力される記録シートの表面（又は、表面及び裏面）の画像を読み取って、画像データを生成し、生成した画像データを検知処理部３２１Ｅに出力し、生成した画像データを画像メモリ３０５に書き込む。
【０２０３】
禁止画像３２７ａ、３２７ｂ、・・・は、実施の形態１の禁止画像１２７ａ、１２７ｂ、・・・と同じである。また、禁止標章３２８ａ、３２８ｂ、・・・は、実施の形態１の禁止標章１２８ａ、１２８ｂ、・・・と同じである。
【０２０４】
検知処理プログラム３２１は、実施の形態１の検知処理プログラム１２４と同じである。
【０２０５】
スキャン処理プログラム３２２は、スキャン部３０４を制御して、搬送路２６を通過する記録シートの表面（又は表面及び裏面）に形成された画像を読み取って画像データを生成させ、生成した画像データを画像メモリ３０５に書き込ませ、また、生成した画像データを検知処理部３２１Ｅに対して出力させる。
【０２０６】
画像加工プログラム３２３は、実施の形態１の画像加工プログラム１２３と同じである。
【０２０７】
イメージログ記録プログラム３２４は、実施の形態１のイメージログ記録プログラム１２５と同じである。
【０２０８】
５．２  画像形成システム４ｅにおけるコピージョブの実行及びログ情報の生成
図１６に示すブロック図を用いて、一例として、画像形成システム４におけるコピージョブの実行及びログ情報の生成について説明する。
【０２０９】
給紙装置１８は、プリンター装置１４に対して、記録シートを給送する。
【０２１０】
スキャナー装置１３は、原稿から画像を読み取って、画像データを生成し、編集処理部１２２Ａは、生成された画像データに色変換等の編集を施し、編集された画像データをプリンター装置１４に対して出力する。
【０２１１】
プリンター装置１４は、記録シート上に、画像を形成する。次に、記録シートは、スキャン部３０４に向けて出力される。
【０２１２】
スキャン部３０４は、記録シートの表面（又は表面及び裏面）に形成された画像を読み取って画像データを生成し、生成した画像データを画像メモリ３０５に書き込み、また、生成した画像データを検知処理部３２１Ｅに対して出力する。
【０２１３】
検知処理部３２１Ｅは、画像データを取得し、画像データから、参照画像として、禁止画像又は禁止標章を検知する。
【０２１４】
画像加工部３２３Ｅは、画像メモリ３０５から、画像データを読み出し、読み出した画像データに、画像縮小処理を施して、ログ情報として、画像を縮小した画像データを生成する。禁止画像が検知された場合、又は、禁止標章が検知された場合、画像加工部３２３Ｅは、生成されたログ情報を破棄する。このように、禁止画像が検知された場合、又は、禁止標章が検知された場合、生成されたログ情報が破棄されるので、ログ情報が外部に漏洩することはない。
【０２１５】
禁止画像が検知されなかった場合、及び、禁止標章が検知されなかった場合、画像加工部３２３Ｅは、ログ情報をそのまま、イメージログ記録部３２４Ｅに対して出力する。
【０２１６】
イメージログ記録部３２４Ｅは、受け取ったログ情報をデータ記憶部３０６に書き込む。
【０２１７】
通信インターフェース１６の送信部１６Ｔは、定期的に、データ記憶部３０６に書き込まれたログ情報を、通信ネットワーク３を介して、サーバー装置２に対して送信する。
【０２１８】
禁止画像が検知されない場合、及び、禁止標章が検知されない場合、主制御部２４を通過した記録シートは、フィニッシャー装置１５に搬送され、後処理ユニット３０において、ステープル綴じがされ、排出トレイ３２に出力される。
【０２１９】
禁止画像が検知される場合、又は、禁止標章が検知される場合、主制御部２４を通過した記録シートは、ストック部２５に収容される。
【０２２０】
ここで、図１６に示す画像メモリ３０５、画像加工部３２３Ｅ、検知処理部３２１Ｅ、イメージログ記録部３２４Ｅ及びデータ記憶部３０６は、イメージログ管理装置７ｅを構成している。
【０２２１】
５．３  イメージログ管理システム６ｅにおける動作
イメージログ管理システム６ｅにおける動作について、図１７に示すフローチャートを用いて説明する。
【０２２２】
スキャナー装置１３は、原稿から画像を読み取って、画像データを生成し（ステップＳ１０１）、編集処理部１２２Ａは、色変換を行い（ステップＳ１０２）、さらに、倍率変換を行う（ステップＳ１０３）。
【０２２３】
プリンター装置１４により、記録シート上に画像が形成され（ステップＳ１１１）、記録シートが出力さる（ステップＳ２０１）。
【０２２４】
ここで、ステップＳ１０１からＳ２０１までは、画像形成装置１ｅにおける動作である。
【０２２５】
次に、読取装置５に、画像が形成された記録シートが給紙される（ステップＳ２０２）。
【０２２６】
次に、記録シート上の画像を構成する複数の検知ブロックのそれぞれについて、スキャン部３０４による画像（検知ブロック）の読取り（ステップＳ２０４）と、検知ブロックのバッファ（ＲＡＭ３０２）への記録（ステップＳ２０５）と、記録した検知ブロックについての検知処理（ステップＳ２０６）と、検知結果の記録（ステップＳ２０７）とを、検知ブロック毎に繰り返す（ステップＳ２０３〜Ｓ２０８）。
【０２２７】
次に、検知処理部３２１Ｅにより禁止画像又は禁止標章が検知される場合（ステップＳ２０９で「有り」）、記録シートがストック部２５に収容される（ステップＳ２１１）。一方、検知処理部３２１Ｅにより禁止画像及び禁止標章が検知されない場合（ステップＳ２０９で「無し」）、記録シートがフィニッシャー装置１５に出力される（ステップＳ２１０）。
【０２２８】
ここで、ステップＳ２０２からＳ２１１までは、読取装置５における動作である。
【０２２９】
次に、画像加工部３２３Ｅは、画像データを縮小して、ログ情報として印刷イメージログを生成する（ステップＳ２２１）。画像加工部３２３Ｅは、印刷イメージログに対して、コピージョブを識別するジョブＩＤ、ジョブの種類、ジョブ受付時刻（年月日、時分秒）、ジョブ終了時刻（年月日、時分秒）、ジョブステータス等を付加する（ステップＳ２２２）。次に、画像加工部３２３Ｅは、印刷イメージログから、テキストデータ部分と画像データ部分とを分離する（ステップＳ２２３）。
【０２３０】
次に、画像加工部３２３Ｅは、検知領域情報を入手する（ステップＳ２２４）。検知領域が存在しない場合（ステップＳ２２５で「無し」）、イメージログ記録部３２４Ｅは、印刷イメージログをデータ記憶部３０６に書き込む（ステップＳ２２６）。
【０２３１】
一方、検知領域が存在する場合（ステップＳ２２５で「有り」）、画像加工部３２３Ｅは、印刷イメージログを破棄する。印刷イメージログは、データ記憶部２３に書き込まれない（ステップＳ２２７）。
【０２３２】
ここで、ステップＳ２２１からＳ２２７までは、読取装置５における動作である。
【０２３３】
次に、コピージョブについて、全てのページの印刷が完了すれば（ステップＳ２２８でＹＥＳ）、送信部１６Ｔにより、ログ情報としての印刷イメージログがサーバー装置２に対して送信される。サーバー装置２の通信部２０２は、印刷イメージログを受信する（ステップＳ１１３）。記憶部２０３は、受信した印刷イメージログを記憶する（ステップＳ１１４）。これにより、ログ情報としての印刷イメージログについての処理が終了する。
【０２３４】
コピージョブについて、全てのページの印刷が完了していなければ（ステップＳ２２８でＮＯ）、次に、ステップＳ１０１に制御が移り、処理が繰り返される。
【０２３５】
ここで、ステップＳ２２８とＳ１１３とは、画像形成装置１ｅにおける動作であり、ステップＳ１１３とＳ１１４とは、サーバー装置２における動作である。
【０２３６】
５．４  まとめ
以上説明したように、主制御部２４により、スキャンされた画像データ内に、禁止画像又は禁止標章が検知された場合、ログ情報としての印刷イメージログは、破棄される。つまり、画像データ内に、禁止画像又は禁止標章が検知される場合、ログ情報内に、画像データにより表される画像のうち、全体の画像をそのまま包含させることを制限している。従って、ログ情報としての印刷イメージログが外部に漏洩することはない。こうして、複製を禁止された禁止画像等が外部に漏洩することを防ぐことができる。
【０２３７】
５．５  変形例
（１）上述したように、主制御部２４により、スキャンされた画像データ内に、禁止画像又は禁止標章が検知された場合、ログ情報としての印刷イメージログは、破棄される。
【０２３８】
しかし、本発明は、これには限定されない。
【０２３９】
主制御部２４により、スキャンされた画像データ内に、禁止画像又は禁止標章が検知された場合、ログ情報としての印刷イメージログ内の検知領域情報により示される領域に、高密度画像が上書きされる、としてもよい。また、高密度画像が上書きされた領域上に、その旨を示す文字画像が描画される、としてもよい。また、印刷イメージログ内の検知領域情報により示される領域等が規定の縮小率以下で縮小される、としてもよい。
【０２４０】
このように、画像データ内に、禁止画像又は禁止標章が検知される場合、ログ情報内に、画像データにより表される画像のうち、全体の画像又は一部の画像をそのまま包含させることを制限している。
【０２４１】
禁止画像又は禁止標章が検知された場合、ログ情報としての印刷イメージログ内の禁止画像等に高密度画像が上書きされ、又は、禁止画像等が規定の縮小率以下で縮小されるので、ログ情報としての印刷イメージログが外部に漏洩した場合であっても、複製を禁止された禁止画像等が外部に漏洩して本物として使用されることを防ぐことができる。
【０２４２】
（２）上述したように、禁止画像又は禁止標章が検知される場合、記録シートは、ストック部２５に収容される。
【０２４３】
しかし、本発明は、これには限定されない。
【０２４４】
図１４に示す読取装置５は、ストック部２５に代えて、裁断機及び収容庫を備える、としてもよい。禁止画像又は禁止標章が検知される場合、記録シートは、裁断機に搬送され、裁断機により、細片に裁断され、収容庫に収容される、としてもよい。
【０２４５】
６  その他の変形例
（１）上記の実施の形態１、実施の形態２及び各変形例においては、ログ情報を生成し、禁止画像又は禁止標章を検知している。禁止画像又は禁止標章が検知された場合、生成されたログ情報から禁止画像等に相当する画像を除去し、ログ情報の禁止画像等に相当する画像に上書きし、生成したログ情報を破棄等している。
【０２４６】
しかし、本発明は、これらには限定されない。
【０２４７】
禁止画像又は禁止標章が検知された場合に、画像加工部（ログ生成手段）により、禁止画像等に相当する画像を除去したログ情報を生成し、禁止画像等に相当する画像を上書きしてログ情報を生成し、又は、ログ情報の生成を制限してもよい。
【０２４８】
具体的には、画像加工部は、禁止画像又は禁止標章が検知される場合、画像データにより表される画像のうち、一部の画像又はこの画像に加工を施した加工画像を除去し、残余の画像を含むログ情報を生成し、又は、画像データにより表される画像のうち、全体の画像、一部の画像又はこれらの画像に加工を施した加工画像に単一色の複数の画素が密集して配された高密度画像を上書きした画像を含むログ情報を生成してもよい。
【０２４９】
また、画像加工部は、禁止画像又は禁止標章が検知される場合、ログ情報の生成を制限し、禁止画像及び禁止標章が検知されない場合、画像データにより表される画像のうち、全体の画像、一部の画像又はこれらの画像に加工を施した加工画像を含むログ情報を生成してもよい。
【０２５０】
（２）別の変形例としてのイメージログ管理システムは、実施の形態１の画像形成システム４に代えて、スキャナー装置（画像処理装置、画像読取装置）を含んで、構成されている、としてもよい。
【０２５１】
スキャナー装置には、ＰＣが接続されている。
【０２５２】
スキャナー装置は、画像処理ジョブとして、原稿の画像を読み取り、画像データを生成し、生成した画像データをＰＣに対して出力するスキャンジョブ（画像読取ジョブ）を実行する。また、スキャナー装置は、スキャンジョブの実行結果を示す画像データをイメージログとして管理するイメージログ管理装置を備える。
【０２５３】
スキャナー装置は、図４に示す検知処理部、画像加工部、イメージログ記録部及びデータ記憶部を備えている。
【０２５４】
検知処理部は、原稿の画像を読み取って生成した画像データを取得し、取得した画像データにおいて、禁止画像又は禁止標章を検知する。
【０２５５】
画像加工部は、原稿の画像を読み取って生成した画像データの画像を縮小し、ログ情報として、印刷イメージログを生成する。検知処理部により、禁止画像又は禁止標章が検知された場合、画像加工部は、生成した印刷イメージログを破棄する。又は、画像加工部は、生成した印刷イメージログにおいて禁止画像等に相当する画像に、高密度画像を上書きしてもよい。又は、画像加工部は、生成した印刷イメージログにおいて禁止画像等に相当する画像に、高密度画像を上書きし、高密度画像が上書きされた領域上に、禁止画像又は禁止標章が検知されたことを示す文字画像を描画してもよい。又は、画像加工部は、生成した印刷イメージログにおいて、禁止画像等に相当する画像を規定の縮小率以下で縮小してもよい。
【０２５６】
イメージログ記録部は、上記のようにして生成した印刷イメージログをデータ記憶部に書き込む。
【０２５７】
スキャナー装置は、通信ネットワークに接続する通信インターフェースを備えるとしてもよい。通信インターフェースは、データ記憶部に記憶されている印刷イメージログを、通信ネットワークを介して、サーバー装置２に送信してもよい。サーバー装置２は、印刷イメージログを受信し、受信した印刷イメージログを記憶する。
【０２５８】
サーバー装置２に記憶されている印刷イメージログは、例えば、スキャナー装置において実行されるスキャンジョブの実行結果を解析するために、用いられる。
【０２５９】
このように、画像データ内に、禁止画像又は禁止標章が検知される場合、ログ情報内に、画像データにより表される画像のうち、全体の画像又は一部の画像をそのまま包含させることを制限している。
【０２６０】
上記の構成によると、禁止画像等に相当する画像がログ情報に包含されないようにするので、ログ情報に含まれる禁止画像等の不正な使用を防ぐことができる、という優れた効果を奏する。
【０２６１】
（３）実施の形態１の画像形成装置１において、ＲＡＭ２１に記憶されているプログラム１１１は、検知処理プログラム１２４を含んでいない、としてもよい。つまり、画像形成装置１は、図４に示す検知処理部１２４Ａを備えていない、としてもよい。
【０２６２】
従って、画像形成装置は、画像データに禁止画像又は禁止標章が含まれる場合であっても、画像データから生成したログ情報としての印刷イメージログをデータ記憶部２３に記憶し、データ記憶部２３に記憶されている印刷イメージログは、サーバー装置２に対して送信され、サーバー装置２の記憶部２０３は、印刷イメージログを記憶する。
【０２６３】
ここで、サーバー装置２は、図４に示す検知処理部及び画像加工部を備える、としてもよい。サーバー装置２が備える検知処理部は、記憶部２０３から印刷イメージログを読み出すことにより、取得し、取得した印刷イメージログの画像から、禁止画像又は禁止標章を検知する。禁止画像又は禁止標章が検知された場合、画像加工部は、生成した印刷イメージログを破棄する。又は、画像加工部は、生成した印刷イメージログにおいて禁止画像等に相当する画像に、高密度画像を上書きしてもよい。又は、画像加工部は、生成した印刷イメージログにおいて禁止画像等に相当する画像に、高密度画像を上書きし、高密度画像が上書きされた領域上に、禁止画像又は禁止標章が検知されたことを示す文字画像を描画してもよい。又は、画像加工部は、生成した印刷イメージログにおいて、禁止画像等に相当する画像を規定の縮小率以下で縮小してもよい。
【０２６４】
このように、サーバー装置２が、禁止画像又は禁止標章を含む印刷イロージログを受信した場合であって、禁止画像等に相当する画像が印刷イロージログに包含されないようにするので、サーバー装置２からログ情報が漏洩した場合であっても、ログ情報に含まれる禁止画像等の不正な使用を防ぐことができる、という優れた効果を奏する。
【０２６５】
（４）実施の形態１の画像形成装置１において、イメージログ管理装置は、画像形成装置１の外部端末装置から受信した画像データを基に画像形成するプリントジョブ（画像形成ジョブ）の実行結果を示すログ情報を管理してもよい。
【０２６６】
受信部１６Ｒは、外部端末装置から、画像データを受信することにより、取得する。
【０２６７】
検知処理部１２４Ａは、取得した画像データから、禁止画像又は禁止標章を検知する。
【０２６８】
画像加工部１２３Ａは、禁止画像又は禁止標章が検知される場合、画像形成ジョブの実行の結果生成されるログ情報（印刷イメージログ）内に、画像データにより表される画像のうち、全体の画像又は一部の画像をそのまま包含させることを制限する。つまり、画像加工部１２３Ａは、生成した印刷イメージログを破棄してもよい。又は、画像加工部１２３Ａは、生成した印刷イメージログにおいて禁止画像等に相当する画像に、高密度画像を上書きしてもよい。又は、画像加工部１２３Ａは、生成した印刷イメージログにおいて禁止画像等に相当する画像に、高密度画像を上書きし、高密度画像が上書きされた領域上に、禁止画像が検知されたことを示す文字画像を描画してもよい。又は、画像加工部１２３Ａは、生成した印刷イメージログにおいて、禁止画像等に相当する画像を規定の縮小率以下で縮小してもよい。
【０２６９】
このようにして、外部端末装置から受信した画像データ内に禁止画像又は禁止標章が含まれる場合であっても、禁止画像等に相当する画像がログ情報に包含されないようにするので、ログ情報に含まれる禁止画像等の不正な使用を防ぐことができる、という優れた効果を奏する。
【０２７０】
（５）上記の各実施の形態及び各変形例において、画像形成装置は、電子写真方式により記録シート上に画像を形成する、としている。しかし、本発明は、これには、限定されない。
【０２７１】
画像形成装置は、インクジェット方式により、記録シート上に画像を形成してもよい。
【０２７２】
（６）上記の各実施の形態においては、プリントジョブを、通信インターフェース１６により、ＬＡＮ等の通信ネットワークを経由して受信する場合を例にとって説明したが、Bluetooth（登録商標）など他の通信手段で受信してもよい。
【０２７３】
（７）上述した各装置は、マイクロプロセッサーとメモリとを備えたコンピューターシステムである。メモリは、制御用のコンピュータープログラムを記憶しており、マイクロプロセッサーは、コンピュータープログラムに従って動作するとしてもよい。
【０２７４】
ここで、コンピュータープログラムは、所定の機能を達成するために、コンピューターに対する指令を示す命令コードが複数個組み合わされて構成されたものである。
【０２７５】
また、コンピュータープログラムは、コンピューター読み取り可能な記録媒体、例えば、フレキシブルディスク、ハードディスク、光ディスク、半導体メモリなどに記録されているとしてもよい。
【０２７６】
また、コンピュータープログラムを、有線又は無線の電気通信回線、インターネットを代表とする通信ネットワーク、データ放送等を経由して伝送してもよい。
【０２７７】
（８）上記実施の形態及び上記変形例をそれぞれ組み合わせる、としてもよい。
【産業上の利用可能性】
【０２７８】
本発明にかかるイメージログ管理装置は、禁止画像等に相当する画像をイメージログに包含させることを制限するので、イメージログに含まれる禁止画像等の不正な使用を防ぐことができる、という優れた効果を奏し、画像処理装置によりコピー、スキャン、プリント等のジョブが実行された場合、そのジョブの実行結果の記録を管理する技術として有用である。
【符号の説明】
【０２７９】
１、１ｅ    画像形成装置
２    サーバー装置
３    通信ネットワーク
４、４ｅ    画像形成システム
５    読取装置
６、６ｅ    イメージログ管理システム
７、７ｅ    イメージログ管理装置
１１    操作装置
１２    ディスプレィ装置
１３    スキャナー装置
１４    プリンター装置
１５    フィニッシャー装置
１６    通信インターフェース
１６Ｒ  受信部
１６Ｔ  送信部
１７    ドキュメントフィーダー
１８    給紙装置
１９    搬送ユニット
２０    ＣＰＵ
２１    ＲＡＭ
２２    ＲＯＭ
２３    データ記憶部
２３Ｈ  ハードディスク
２３Ｒ  カードリーダー
２４    主制御部
２５    ストック部
２６    搬送路
３０    後処理部
３１、３２    排出トレイ
３３    搬送路
９１    メモリカード
１００    主制御部
１２２Ａ  編集処理部
１２３Ａ  画像加工部
１２４Ａ  検知処理部
１２５Ａ  イメージログ記録部
１２６Ａ  追加工部
２０１    制御部
２０２    通信部
２０３    記憶部
３０１    ＣＰＵ
３０２    ＲＡＭ
３０３    ＲＯＭ
３０４    スキャン部
３０５    画像メモリ
３０６    データ記憶部
３２１Ｅ  検知処理部
３２３Ｅ  画像加工部
３２４Ｅ  イメージログ記録部
【図１】
2020082704.tif 000003
【図２】
2020082704.tif 000004
【図３】
2020082704.tif 000005
【図４】
2020082704.tif 000006
【図５】
2020082704.tif 000007
【図６】
2020082704.tif 000008
【図７】
2020082704.tif 000009
【図８】
2020082704.tif 000010
【図９】
2020082704.tif 000011
【図１０】
2020082704.tif 000012
【図１１】
2020082704.tif 000013
【図１２】
2020082704.tif 000014
【図１３】
2020082704.tif 000015
【図１４】
2020082704.tif 000016
【図１５】
2020082704.tif 000017
【図１６】
2020082704.tif 000018
【図１７】
2020082704.tif 000019